(57)【要約】着用物保存装置１は、着用物Ａが収容された袋体１０を有する。袋体１０は、非酸素ガスが充填された状態で密封されている。袋体１０には、脱酸素剤３０が収容されている。袋体１０には、着用物Ａと脱酸素剤３０との間を仕切る仕切り部４０が設けられている。袋体１０内には、酸素濃度を検出するセンサ５０が設けられている。
2017168848.tif 000002
【特許請求の範囲】
【請求項１】
着用物を保存する着用物保存装置であって、
着用物が収容された袋体を有し、
前記袋体は、非酸素ガスが充填された状態で密封されている、着用物保存装置。
【請求項２】
前記袋体には、脱酸素剤が収容されている、請求項１に記載の着用物保存装置。
【請求項３】
前記袋体には、前記着用物と前記脱酸素剤との間を仕切る仕切り部が設けられている、請求項２に記載の着用物保存装置。
【請求項４】
前記袋体内には、酸素濃度を検出するセンサが設けられている、請求項１〜３のいずれかに記載の着用物保存装置。
【請求項５】
前記袋体の表面は透明であり、裏面は紫外線を遮断する材料を含んでいる、請求項１〜４のいずれかに記載の着用物保存装置。
【請求項６】
前記袋体内に設けられ、着用物のハンガーに連結自在に構成された連結部材をさらに有し、
前記連結部材は、把持型ハンガーにより前記袋体の外側から支持可能に構成されている、請求項１〜５のいずれかに記載の着用物保存装置。
【請求項７】
前記連結部材は、着用物のハンガーを引っ掛ける引掛け部と、前記把持型ハンガーにより支持される被支持部とを有する、請求項６に記載の着用物保存装置。
【請求項８】
前記被支持部は、前記把持型ハンガーの把持部に挟まれる第１の部分と、前記把持型ハンガーの把持部に引掛けられる第２の部分とを有する、請求項７に記載の着用物保存装置。
【請求項９】
前記引掛け部は、着用物のハンガーを複数引掛けることができる、請求項７又は８に記載の着用物保存装置。
【請求項１０】
前記袋体内に設けられ、着用物同士の間に介在可能な仕切り板をさらに有する、請求項１〜５のいずれかに記載の着用物保存装置。
【請求項１１】
前記仕切り板には、通気孔が形成されている、請求項１０に記載の着用物保存装置。
【請求項１２】
前記非酸素ガスは、所定の湿度に調整されている、請求項１〜１１のいずれかに記載の着用物保存装置。
【請求項１３】
前記袋体内には、調湿剤が収容されている、請求項１〜１２のいずれかに記載の着用物保存装置。
【請求項１４】
前記袋体は、当該袋体を開閉自在で、閉鎖時に前記袋体を密封可能な開閉部を有する、請求項１〜１３のいずれかに記載の着用物保存装置。
【請求項１５】
着用物保存装置の袋体内に収容される着用物のハンガーに連結するための連結部材であって、
着用物のハンガーに連結自在に構成され、把持型ハンガーにより前記袋体の外側から支持可能に構成された連結部材。
【請求項１６】
着用物のハンガーを引っ掛ける引掛け部と、前記把持型ハンガーにより支持される被支持部とを有する、請求項１５に記載の連結部材。
【請求項１７】
前記被支持部は、前記把持型ハンガーの把持部に挟まれる第１の部分と、前記把持型ハンガーの把持部に引掛けられる第２の部分とを有する、請求項１６に記載の連結部材。
【請求項１８】
前記引掛け部は、複数の着用物のハンガーを引掛けることができる、請求項１６又は１７に記載の連結部材。
【請求項１９】
着用物保存方法であって、
袋体に着用物を収容する工程と、
前記袋体に非酸素ガスを充填する工程と、
前記袋体を密封する工程と、を有する、着用物保存方法。
【請求項２０】
前記袋体には、脱酸素剤が収容されている、請求項１９に記載の着用物保存方法。
【請求項２１】
前記袋体に前記着用物と前記脱酸素剤との間を仕切る仕切り部を形成する工程を、さらに有する、請求項２０に記載の着用物保存方法。
【請求項２２】
前記仕切り部は、前記袋体の表裏の面を互いに接着することにより形成される、請求項２１に記載の着用物保存方法。
【請求項２３】
前記袋体内には、酸素濃度を検出するセンサが設けられている、請求項１９〜２２のいずれかに記載の着用物保存方法。
【請求項２４】
前記センサにより、前記袋体を開封せずに前記袋体内の酸素濃度を検出する工程を、さらに有する、請求項２３に記載の着用物保存方法。
【請求項２５】
前記袋体内の酸素濃度の検出を定期的に行い、前記袋体内の酸素濃度が所定の閾値以下であることを確認する工程を、さらに有する、請求項２４に記載の着用物保存方法。
【請求項２６】
前記袋体に非酸素ガスを充填する工程は、前記袋体内の気体を吸引しながら非酸素ガスを充填し、これを複数回繰り返すことにより行う、請求項１９〜２５のいずれかに記載の着用物保存方法。
【請求項２７】
前記袋体を密封する前に前記着用物の静電気を除去する工程を、さらに有する、請求項１９〜２６のいずれかに記載の着用物保存方法。
【請求項２８】
前記袋体に着用物を収容する工程において、着用物のハンガーに連結部材を連結する工程を、さらに有する、請求項１９〜２７のいずれかに記載の着用物保存方法。
【請求項２９】
前記連結部材を前記袋体の外側から支持する工程と、をさらに有する、請求項２８に記載の着用物保存方法。
【請求項３０】
前記袋体に複数の着用物を平置きで収容する場合に、着用物同士の間に仕切り板を介在する工程を、さらに有する、請求項１９〜２７のいずれかに記載の着用物保存方法。
【請求項３１】
前記非酸素ガスは、所定の湿度に調整された状態で前記袋体に充填される、請求項１９〜３０のいずれかに記載の着用物保存方法。
【請求項３２】
前記袋体内には、調湿剤が収容されている、請求項１９〜３１のいずれかに記載の着用物保存方法。
【請求項３３】
保存装置であって、
保存対象物が収容された袋体を有し、
前記袋体内には、脱酸素剤と、酸素濃度を検出するセンサが設けられ、
前記袋体は、非酸素ガスが充填された状態で密封されている、保存装置。
【請求項３４】
前記非酸素ガスは、所定の湿度に調整されている、請求項３３に記載の保存装置。
【請求項３５】
前記袋体内には、調湿剤と、湿度を検出するセンサが設けられている、請求項３３又は３４に記載の保存装置。
【請求項３６】
保存方法であって、
袋体に保存対象物を収容する工程と、
前記袋体に、脱酸素剤と、酸素濃度を検出するセンサを収容する工程と、
前記袋体に非酸素ガスを充填する工程と、
前記袋体を密封する工程と、を有する、保存方法。
【請求項３７】
前記非酸素ガスは、所定の湿度に調整された状態で前記袋体に充填される、請求項３５に記載の保存方法。
【請求項３８】
前記袋体に、調湿剤と、湿度を検出するセンサが設けられている、請求項３６又は３７に記載の保存方法。
【請求項３９】
保存キットであって、
保存対象物が収容され、密封可能な袋体と、
脱酸素剤と、
調湿剤と、を有し、
前記袋体は、当該袋体を開閉自在で、閉鎖時に前記袋体を密封可能な開閉部を有する、保存キット。
【請求項４０】
酸素濃度を検出するセンサ、又は湿度を検出するセンサの少なくともいずれかをさらに有する、請求項３９に記載の保存キット。
【発明の詳細な説明】
【関連出願の相互参照】
【０００１】
本出願は、２０１６年３月２９日に出願された日本特許出願番号２０１６−０６５６６２に基づくもので、ここにその記載内容を援用する。
【技術分野】
【０００２】
本発明は、着用物、美術品、文化財、骨董品、工芸品及びその他の物の保存装置、連結部材及び保存方法に関する。
【背景技術】
【０００３】
例えば衣服や履物などの着用物を長期間劣化させずに保管したいという要請がある。しかしながら、着用物を空気中で保管すると、酸化により変色することがある。また、着用物には虫やカビ菌が付着するが、例えばクリーニングを施してもカビ菌を完全に取り除くことは困難である。そして、着用物を気密性袋に入れて保存したとしても（特許文献１参照）、袋内に酸素が残っていたり、着用物に少しでもカビ菌や虫が付着していれば、着用物が次第に酸化し、また、カビ菌や虫が次第に繁殖して、着用物の変色や虫食いの原因となる。
【先行技術文献】
【特許文献】
【０００４】
【特許文献１】特開２０１５−７３７７０号公報
【発明の概要】
【発明が解決しようとする課題】
【０００５】
そこで、本発明者らは、酸化による変色を防ぐとともに、カビ菌や虫が繁殖、生存することがないように低酸素状態で着用物を保存することを考えている。低酸素状態で着用物を保存するために、着用物を真空状態の袋に入れることが考えられるが、この場合着用物が型崩れする恐れがある。【０００６】
本願発明はかかる点に鑑みてなされたものであり、型崩れせずに、酸化による変色を防ぎつつ、カビ菌や虫が繁殖、生存しないように着用物などの保存対象物を保存できるようにすることをその目的の一つとする。
【課題を解決するための手段】
【０００７】
本発明者らは、鋭意検討した結果、非酸素ガスを充填した袋体に着用物を収容して密封することにより、上記問題を解決できることを見出し、本発明を完成するに至った。【０００８】
すなわち、本発明は以下の態様を含む。
（１）着用物を保存する着用物保存装置であって、着用物が収容された袋体を有し、前記袋体は、非酸素ガスが充填された状態で密封されている、着用物保存装置。
（２）前記袋体には、脱酸素剤が収容されている、（１）に記載の着用物保存装置。
（３）前記袋体には、前記着用物と前記脱酸素剤との間を仕切る仕切り部が設けられている、（２）に記載の着用物保存装置。
（４）前記袋体内には、酸素濃度を検出するセンサが設けられている、（１）〜（３）のいずれかに記載の着用物保存装置。
（５）前記袋体の表面は透明であり、裏面は紫外線を遮断する材料を含んでいる、（１）〜（４）のいずれかに記載の着用物保存装置。
（６）前記袋体内に設けられ、着用物のハンガーに連結自在に構成された連結部材をさらに有し、前記連結部材は、把持型ハンガーにより前記袋体の外側から支持可能に構成されている、（１）〜（５）のいずれかに記載の着用物保存装置。
（７）前記連結部材は、着用物のハンガーを引っ掛ける引掛け部と、前記把持型ハンガーにより支持される被支持部とを有する、（６）に記載の着用物保存装置。
（８）前記被支持部は、前記把持型ハンガーの把持部に挟まれる第１の部分と、前記把持型ハンガーの把持部に引掛けられる第２の部分とを有する、（７）に記載の着用物保存装置。
（９）前記引掛け部は、着用物のハンガーを複数引掛けることができる、（７）又は（８）に記載の着用物保存装置。
（１０）前記袋体内に設けられ、着用物同士の間に介在可能な仕切り板をさらに有する、（１）〜（５）のいずれかに記載の着用物保存装置。
（１１）前記仕切り板には、通気孔が形成されている、（１０）に記載の着用物保存装置。
（１２）前記非酸素ガスは、所定の湿度に調整されている、（１）〜（１１）のいずれかに記載の着用物保存装置。
（１３）前記袋体内には、調湿剤が収容されている、（１）〜（１２）のいずれかに記載の着用物保存装置。
（１４）前記袋体は、当該袋体を開閉自在で、閉鎖時に前記袋体を密封可能な開閉部を有する、（１）〜（１３）のいずれかに記載の着用物保存装置。
（１５）着用物保存装置の袋体内に収容される着用物のハンガーに連結するための連結部材であって、着用物のハンガーに連結自在に構成され、把持型ハンガーにより前記袋体の外側から支持可能に構成された連結部材。
（１６）着用物のハンガーを引っ掛ける引掛け部と、前記把持型ハンガーにより支持される被支持部とを有する、（１５）に記載の連結部材。
（１７）前記被支持部は、前記把持型ハンガーの把持部に挟まれる第１の部分と、前記把持型ハンガーの把持部に引掛けられる第２の部分とを有する、（１６）に記載の連結部材。
（１８）前記引掛け部は、複数の着用物のハンガーを引掛けることができる、（１６）又は（１７）に記載の連結部材。
（１９）着用物保存方法であって、袋体に着用物を収容する工程と、前記袋体に非酸素ガスを充填する工程と、前記袋体を密封する工程と、を有する、着用物保存方法。
（２０）前記袋体には、脱酸素剤が収容されている、（１９）に記載の着用物保存方法。
（２１）前記袋体に前記着用物と前記脱酸素剤との間を仕切る仕切り部を形成する工程を、さらに有する、（２０）に記載の着用物保存方法。
（２２）前記仕切り部は、前記袋体の表裏の面を互いに接着することにより形成される、（２１）に記載の着用物保存方法。
（２３）前記袋体内には、酸素濃度を検出するセンサが設けられている、（１９）〜（２２）のいずれかに記載の着用物保存方法。
（２４）前記センサにより、前記袋体を開封せずに前記袋体内の酸素濃度を検出する工程を、さらに有する、（２３）に記載の着用物保存方法。
（２５）前記袋体内の酸素濃度の検出を定期的に行い、前記袋体内の酸素濃度が所定の閾値以下であることを確認する工程を、さらに有する、（２４）に記載の着用物保存方法。
（２６）前記袋体に非酸素ガスを充填する工程は、前記袋体内の気体を吸引しながら非酸素ガスを充填し、これを複数回繰り返すことにより行う、（１９）〜（２５）のいずれかに記載の着用物保存方法。
（２７）前記袋体を密封する前に前記着用物の静電気を除去する工程を、さらに有する、（１９）〜（２６）のいずれかに記載の着用物保存方法。
（２８）前記袋体に着用物を収容する工程において、着用物のハンガーに連結部材を連結する工程を、さらに有する、（１９）〜（２７）のいずれかに記載の着用物保存方法。
（２９）前記連結部材を前記袋体の外側から支持する工程と、をさらに有する、（２８）に記載の着用物保存方法。
（３０）前記袋体に複数の着用物を平置きで収容する場合に、着用物同士の間に仕切り板を介在する工程を、さらに有する、（１９）〜（２７）のいずれかに記載の着用物保存方法。
（３１）前記非酸素ガスは、所定の湿度に調整された状態で前記袋体に充填される、（１９）〜（３０）のいずれかに記載の着用物保存方法。
（３２）前記袋体内には、調湿剤が収容されている、（１９）〜（３１）のいずれかに記載の着用物保存方法。
（３３）保存装置であって、保存対象物が収容された袋体を有し、前記袋体内には、脱酸素剤と、酸素濃度を検出するセンサが設けられ、前記袋体は、非酸素ガスが充填された状態で密封されている、保存装置。
（３４）前記非酸素ガスは、所定の湿度に調整されている、（３３）に記載の保存装置。
（３５）前記袋体内には、調湿剤と、湿度を検出するセンサが設けられている、（３３）又は（３４）に記載の保存装置。
（３６）保存方法であって、袋体に保存対象物を収容する工程と、前記袋体に、脱酸素剤と、酸素濃度を検出するセンサを収容する工程と、前記袋体に非酸素ガスを充填する工程と、前記袋体を密封する工程と、を有する、保存方法。
（３７）前記非酸素ガスは、所定の湿度に調整された状態で前記袋体に充填される、（３５）に記載の保存方法。
（３８）前記袋体に、調湿剤と、湿度を検出するセンサが設けられている、（３６）又は（３７）に記載の保存方法。
（３９）保存キットであって、保存対象物が収容され、密封可能な袋体と、脱酸素剤と、調湿剤と、を有し、前記袋体は、当該袋体を開閉自在で、閉鎖時に前記袋体を密封可能な開閉部を有する、保存キット。
（４０）酸素濃度を検出するセンサ、又は湿度を検出するセンサの少なくともいずれかをさらに有する、（３９）に記載の保存キット。
【発明の効果】
【０００９】
本発明によれば、型崩れせずに、酸化による変色を防ぎつつ、カビ菌や虫が繁殖、生存しないように着用物を保存できるので、着用物を劣化させずに長期にわたり保存できる。
【図面の簡単な説明】
【００１０】
【図１】第１の実施の形態の着用物保存装置の構成の一例を示す正面図である。
【図２】図１の着用物保存装置のＸ−Ｘ断面の概略を示す模式図である。
【図３】袋体に衣類を収容する工程を示す説明図である。
【図４】袋体に非酸素ガスを充填する工程を示す説明図である。
【図５】着用物保存装置を吊す状態を示す説明図である。
【図６】第２の実施の形態の着用物保存装置の構成の一例を示す正面図である。
【図７】連結部材の斜視図である。
【図８】把持型ハンガーの閉じた状態の斜視図である。
【図９】把持型ハンガーの開いた状態の斜視図である。
【図１０】袋体内において連結部材とハンガーを連結した状態を示す説明図である。
【図１１】連結部材を袋体の外側から把持型ハンガーで支持した状態を示す説明図である。
【図１２】他の連結部材の斜視図である。
【図１３】複数の着用物と仕切り板を収容した袋体の断面を示す模式図である。
【図１４】仕切り板の斜視図である。
【発明を実施するための形態】
【００１１】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１２】
（第１の実施の形態）
図１は、本実施の形態における着用物保存装置１の構成の概略を示す正面図であり、図２は、着用物保存装置１の断面の概略を示す模式図である。
【００１３】
着用物保存装置１は、例えばコートやスーツなどの着用物Ａが収容された袋体１０を有している。袋体１０は、例えば方形状に形成されている。なお、着用物Ａは、身体に着けるものであればよく、コートやスーツ、着物、下着、帽子、手袋などの衣類や、履物、時計などの装飾品等が含まれる。特に着用物Ａはクリーニング対象物であってもよい。
【００１４】
図２に示すように袋体１０は、例えば表面２０と裏面２１を有している。表面２０は、例えば３層構造を有し、例えば内側から外側に向けて低密度ポリエチレンからなる第１層２０ａと、ポリエチレンからなる第２層２０ｂと、ナイロンからなる第３層２０ｃを有している。表面２０は透明であり、内部が目視できる。なお、表面２０は、４層構造を有し、外側から内側に向けて、紫外線をカットするテックバリアフィルム（三菱樹脂株式会社の登録商標）、ナイロン、ポリエチレン、ＬＬＤＰＥの各層から構成されていてもよい。
【００１５】
裏面２１は、例えば５層構造を有し、例えば内側から外側に向けてポリエチレンからなる第１層２１ａと、アルミニウムからなる第２層２１ｂと、ナイロンからなる第３層２１ｃと、ポリプロピレンからなる第４層２１ｄと、ポリエステルからなる第５層２１ｅを有している。第２層２１ｂは、紫外線をカットする機能を有する。なお、裏面２１は、５層構造を有し、外側から内側に向けて、ポリエチレン、ナイロン、アルミ、ポリエチレン、ＬＬＤＰＥの各層から構成されていてもよい。アルミの層は、酸素、光、湿度を透過させない。また、袋体１０の内面全体に静電気防止加工が施されている。
【００１６】
図１及び図２に示すように袋体１０は、表面２０と裏面２１の外周縁が熱溶着されて密封されている。袋体１０は、非酸素ガスとしての窒素ガスが充填された状態で密封されている。つまり、袋体１０は、膨らんだ状態で密封されている。なお、非酸素ガスは、酸素ガス以外のガスであればよく、窒素ガスに限られない。
【００１７】
袋体１０には、脱酸素剤３０が収容されている。脱酸素剤３０は、例えば通気性のある布製の小袋に入れられている。また、脱酸素剤３０を個別にアルミニウム製の袋に入れておき、袋体１０内に収容される際に、アルミニウム製の袋の一部を開放するものとしてもよい。
【００１８】
袋体１０には、着用物Ａと脱酸素剤３０との間を仕切る仕切り部４０が形成されている。例えば着用物Ａは、袋体１０の入口辺１０ａ側に対し奥側（図１の上側）に収容され、脱酸素剤３０は入口辺１０ａに近い側（図１の下側）に収容され、その間に仕切り部４０が形成されている。仕切り部４０は、例えば表面２０と裏面２１を直線状に互いに熱溶着することにより形成されている。仕切り部４０は、例えば袋体１０の入口辺１０ａに平行であって、袋体１０の入口辺１０ａに隣接する第１の側辺１０ｂから第２の側辺１０ｃに向けて直線状に形成されている。仕切り部４０は、例えば第１の側辺１０ｂから、袋体１０の幅方向（図１の左右方向）の中央付近（途中）まで形成されている。これにより着用物Ａのある領域Ｒ１と脱酸素剤３０のある領域Ｒ２は、一部が仕切り部４０により区切られ、一部が連通している。
【００１９】
袋体１０内には、酸素濃度を検出するセンサ５０が設けられている。センサ５０は、例えば表面２０の内側に取り付けられている。センサ５０は、例えば着用物Ａのある領域Ｒ１の仕切り部４０と第１の側辺１０ｂの近傍に設けられている。センサ５０には、例えば粘着テープ式のプラチナチップ（例えばＤａｎｓｅｎｓｏｒ社製の製品「OpTech-O2 Platinum」）が用いられ、そのプラチナチップ専用の光学式酸素濃度計を袋体１０の外側からセンサ５０に近づけて、光学式酸素濃度計がセンサ５０に光を照射し反射光を受光することで袋体１０内の酸素濃度を測定できる。
【００２０】
次に、以上のように構成された着用物保存装置１を用いた着用物Ａの保存方法について説明する。
【００２１】
先ず、図３に示すように袋体１０の入口辺１０ａが開口した状態で、着用物Ａが袋体１０内に収容される。着用物Ａは、例えばハンガーＢを取り付けた状態で収容される。この際、センサ５０は、予め袋体１０の表面２０に取り付けられていてもよいし、着用物Ａを収容した後に取り付けられてもよい。なお、ハンガーＢは、人が着用物Ａを着用したときと同様の状態で、着用物Ａを保持可能な形状を有するものであることが好ましい。これにより、着用物Ａが着用時と同様の状態で袋体１０に収容されるため、しわ等の発生をより防ぎながら、着用物Ａを保管することができる。
【００２２】
次に、静電気除去装置（イオナイザー）を用いて着用物Ａの静電気が除去される。なお、静電気の除去手段はイオナイザーに限定されず、任意の手段ないし手法により静電気を除去することができる。
【００２３】
次に、図３に示すように袋体１０内に脱酸素剤３０が入れられる。そして、袋体１０の入口辺１０ａの一部が熱溶着され、残りの入口辺１０ａの開口部に吸引装置のノズル６０と非酸素ガス供給装置のノズル６１が挿入される。そして、袋体１０内の気体がノズル６０により吸引されるとともに、ノズル６１から袋体１０内に窒素ガスが供給される。例えば袋体１０内の気体の吸引と袋体１０内への窒素ガスの供給は、所定回、例えば２回以上繰り返される。こうして、袋体１０内には、窒素ガスが充填され、袋体１０が膨らんだ状態となる。
【００２４】
次に、袋体１０内に空気が入らないようにノズル６０、６１を抜き、入口辺１０ａの開口部を熱溶着して閉じる。これにより、袋体１０が密封される。このとき、袋体１０内は、低酸素状態、例えば１．０％以下、好ましくは０．１％以下、さらに好ましくは０．０１％以下の酸素濃度となる。また袋体１０内は、例えば常圧よりも高い圧力になる。
【００２５】
次に、袋体１０に着用物Ａと脱酸素剤３０との間を仕切る仕切り部４０が形成される。この仕切り部４０は、袋体１０の表面２０と裏面２１を互いに熱溶着することにより形成される。
【００２６】
次に、光学式酸素濃度計が袋体１０の外側からセンサ５０に近づけられ、袋体１０内の酸素濃度が所定の閾値、例えば０．１％以下であることが確認される。
【００２７】
袋体１０が低酸素状態で密封されると、図５に示すように挟持型ハンガーＣにより、袋体１０の第３の側辺１０ｃ付近の上から着用物ＡのハンガーＢが把持され、例えば雰囲気管理がなされた場所に吊るされて保管される。
【００２８】
その後、例えば袋体１０が密閉された状態（開封せずに）、センサ５０により定期的に袋体１０内の酸素濃度が検出され、酸素濃度が所定の閾値、例えば０．１％以下であることが確認される。仮に所定の閾値を超えた場合には、例えば着用物Ａが袋体１０から取り出され、再度新しい袋体１０を用いて上記工程を経て再び袋体１０内に密封される。
【００２９】
本実施の形態によれば、袋体１０が、着用物Ａを収容し、非酸素ガスが充填された状態（非酸素ガスに置換された状態）で密封されているので、型崩れせずに、カビ菌や虫が繁殖しないように着用物Ａを保存できる。よって、着用物Ａを劣化させずに長期にわたり保存できる。
【００３０】
袋体１０には、脱酸素剤３０が収容されているので、袋体１０を密封する際に微量の酸素が残っていたとしても、この酸素も脱酸素剤３０により除去することができる。よって、袋体１０内部の酸素濃度を実質的にゼロとすることができ、酸素に起因する着用物Ａの変色や劣化をより完全に防止できる。なお、脱酸素剤３０を袋体１０に入れるタイミングは、袋体１０を密封する前であればいつでもよく、袋体１０内が窒素ガス雰囲気に置換されてから入れてもよい。
【００３１】
袋体１０には、着用物Ａと脱酸素剤３０との間を仕切る仕切り部４０が設けられているので、脱酸素剤３０から発せされる熱により着用物Ａが劣化したり、脱酸素剤３０が着用物Ａに触れて汚れることなどを防止できる。また、脱酸素剤３０以外に湿度を保つ溶剤などを袋体１０に入れ込む場合にも、かかる溶剤と着用物Ａの接触や、溶剤から発せられる熱が着用物Ａに悪影響を与えることを防止できる。
【００３２】
袋体１０には、酸素濃度を検出するセンサ５０が設けられているので、袋体１０を密封した後に袋体１０を開放せずに袋体１０内の酸素濃度を正確に検出できる。このとき、袋体１０を密封したままの状態で袋体１０内部の酸素濃度を検出可能なセンサ及び酸素濃度計を使用することが好ましい。例えば、センサ５０としてプラチナセンサを用いて、非抜き取り式でパッケージ等の内部の酸素濃度を検出可能な光学式酸素濃度計により酸素濃度を検出することができる。これにより、袋体１０内の低酸素状態が維持されているか否かを継続的に監視できるため、酸素濃度を所定の閾値未満の状態で着用物Ａを保管し続けることを保証できる。
【００３３】
袋体１０の表面２０は透明であり、裏面２１は紫外線を遮断する材料を含んでいるので、内部の着用物Ａが目視できると共に、着用物Ａが紫外線により劣化するのを抑制できる。
【００３４】
また、本実施の形態によれば、袋体１０の仕切り部４０を、袋体１０の表面２０と裏面２１を互いに接着することにより形成しているので、簡単に仕切り部４０を形成できる。
【００３５】
袋体１０に非酸素ガスを充填する工程は、袋体１０内の気体を吸引しつつ非酸素ガスを充填し、これらを複数回繰り返すことで行われるので、着用物Ａの繊維などの内部にある酸素まで確実に除去することができ、袋体１０内の酸素濃度を十分かつ確実に下げることができる。
【００３６】
袋体１０を密封する前に着用物Ａの静電気を除去するので、着用物Ａが静電気を帯びたまま保存されることなく、着用物Ａの型崩れ等を防止できる。
【００３７】
またセンサ５０により定期的に袋体１０内の酸素濃度を検出し、袋体１０内の酸素濃度が所定の閾値以下であることを確認するので、着用物Ａを確実に低酸素状態に維持しながら長期にわたり保管できる。
【００３８】
また、袋体１０内は、一定の湿度が保たれるようにしてもよい。脱酸素剤３０として、例えばＲＰ剤など、水分中立型の脱酸素剤を用いることにより、袋体１０内の湿度を一定に保つことができる。また、脱酸素剤３０とは別に、袋体１０に調湿剤を収容してもよい。袋体１０内の湿度は、袋体１０内に保存する物の種類や材質に応じた湿度とすることが好ましい。例えば、袋体１０に衣類、鉄器、漆器を収容する場合、袋体１０の中の湿度をそれぞれ５０〜６０％、２５〜３０％、６０〜７０％前後に保つとよいが、湿度はこれらに限定されない。袋体１０内に収容する水分中立型脱酸素剤や調湿剤の特性を予め調整することにより、袋体１０内を、保存する物に応じた特定の湿度に保つことができる。これにより、着用物Ａを低酸素（好ましくは無酸素）かつ調湿された状態に維持しながら長期にわたり保管できる。脱酸素剤３０や調湿剤の量は、袋体１０の容量に応じて設定されてもよい。例えば袋体１０の寸法（縦の長さ、横の長さ、高さ等）を入力することにより、最適な脱酸素剤３０や調整剤の数が出力されるプログラムを用いてもよい。
【００３９】
（第２の実施の形態）
上記第１の実施の形態の着用物保存装置１において、図６に示すように袋体１０内に、着用物ＡのハンガーＤに連結可能な連結部材６０を収容し、袋体１０内においてハンガーＤに連結部材６０を連結し、その連結部材６０を袋体１０の外側から把持型ハンガーＥにより支持するようにしてもよい。
【００４０】
例えば着用物ＡのハンガーＤには、上部にフックＤ１が有する一般的なものが用いられる。なお、ハンガーＤの形状、構造はこれに限られない。ハンガーＤには、例えば着用物Ａに適合したものや、着用物Ａの所有者の所有物が用いられる。
【００４１】
連結部材６０は、例えば金属製である。連結部材６０は、図７に示すように着用物ＡのハンガーＤを引っ掛ける引掛け部６１と、袋体１０の外側から把持型ハンガーＥにより支持される被支持部６２とを有している。
【００４２】
引掛け部６１は、円環状に形成されている。被支持部６２は、例えば引掛け部６１の上端に接続される第１の部分としての棒状体６３と、棒状体６３の上端に接続される天板６４を有している。天板６４は、長方形状に形成され、その中心に棒状体６３が接続されている。棒状体６３は、天板６４の板面に対し垂直に接続されている。
【００４３】
例えば把持型ハンガーＥは、図８及び図９に示すように連結部材６０の被支持部６２を支持する把持部Ｅ１と、把持部Ｅ１を開閉する開閉部Ｅ２と、フック部Ｅ３を有している。把持部Ｅ１は、例えば左右に長く互いに対向する２枚の細板Ｅ４を有している。細板Ｅ４の中央の内側には、把持部Ｅ１を閉じたときに棒状体６３が通る凹みＥ５が形成されている。また、細板Ｅ４の中央の上面には、把持部Ｅ１を閉じたときに天板６４が支持される平坦面Ｅ６が形成されている。
【００４４】
開閉部Ｅ２は、例えばフック部Ｅ３を前後に回動することにより把持部Ｅ１を開閉できる。すなわち、開閉部Ｅ２は、所定の公知の機構により、細板Ｅ４を互いに近づけ押圧する閉状態と、細板Ｅ４を離間して隙間を形成する開状態を切り換えることができる。
【００４５】
そして、着用物Ａを保存する場合には、例えば図１０に示すように着用物Ａが掛けられたハンガーＤが、連結部材６０の引掛け部６１に引っ掛けられ、連結部材６０に連結される。この状態で着用物Ａ、ハンガーＤ、連結部材６０及び脱酸素剤３０が袋体１０内に収容され、第１の実施の形態と同様に袋体１０内が非酸素ガスとしての窒素ガスに置換され、その後袋体１０が密封される。なお、袋体１０が密封されるまでの他の工程は、上述の第１の実施の形態と同様であってもよい。脱酸素剤３０は、袋体１０の内側に貼り付けられてもよい。また、仕切り部４０はなくてもよい。また、脱酸素剤３０は、不織布などの小袋に入れてハンガーＤにぶら下げるようにしてもよい。
【００４６】
次に、図１１に示すように連結部材６０が、袋体１０の外側から把持型ハンガーＥにより支持される。すなわち、袋体１０内の連結部材６０の棒状体６３が細板Ｅ４の凹みＥ５で把持され、天板６４が細板Ｅ４の平坦面Ｅ６に支持される。
【００４７】
本実施の形態によれば、袋体１０内に連結部材６０を設けたので、袋体１０内においてハンガーＤに連結部材６０を連結し、その連結部材６０を袋体１０の外側から把持型ハンガーＥにより支持することができる。この結果、ハンガーＤのフックＤ１の種類や形に因らず、ハンガーＤに掛けたまま着用物Ａを長期保存することができる。よって、例えばユーザのハンガーＤをそのまま使用して、着用物ＡをハンガーＤと共に保存することができる。また、着用物Ａと把持型ハンガーＥの把持部との距離を十分に取ることができる。これにより、把持型ハンガーＥが着用物Ａの近傍の袋体１０を把持することがなくなり、把持型ハンガーＥにより袋体１０が押しつぶされて把持型ハンガーＥの近傍の着用物Ａにしわが生じることを防止することができる。
【００４８】
連結部材６０は、着用物ＡのハンガーＤを引っ掛ける引掛け部６１と、把持型ハンガーＥにより支持される被支持部６２とを有するので、連結部材６０と着用物ＡのハンガーＤとの連結と、把持型ハンガーＥによる連結部材６０の支持を好適に行うことができる。
【００４９】
被支持部６２は、把持型ハンガーＥの把持部に挟まれる第１の部分としての棒状体６３と、把持型ハンガーＥの把持部に引掛けられる第２の部分としての天板６４を有するので、把持型ハンガーＥによる連結部材６０の支持を簡単な構成で実現することができる。
【００５０】
本実施の形態において、連結部材６０、ハンガーＤ及び把持型ハンガーＥ等の形状、構造等はこれに限られない。例えば連結部材６０の引掛け部６１は、図１２に示すように複数の着用物ＡのハンガーＤ、例えば３つのハンガーＤを引掛けることができるものであってもよい。例えば引掛け部６１は、水平方向に並べられた第１の引掛け部６６、第２の引掛け部６７及び第３の引掛け部６８を有していてもよい。また、ハンガーは、袋体と一体となっていてもよい。
【００５１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５２】
例えば上記実施の形態における袋体１０内には脱酸素剤３０が設けられていたが、脱酸素剤３０が設けられていなくてもよい。袋体１０には、仕切り部４０やセンサ５０が設けられていたが、これらも設けられていなくてもよく、また設ける位置も上記実施の形態のものに限られない。仕切り部４０は、表裏面を接着したものに限られず、仕切り部として他の部材を袋体１０内に設けたものであってもよい。袋体１０の表面２０や裏面２１の構造も上記実施の形態のものに限られない。また、袋体１０の形状や素材もこれに限られるものではない。
【００５３】
また、袋体１０の表面２０ないし裏面２１を構成する層として、アルミニウム層を用いると、酸化による変色に加え、光による変色も防ぐことができる。ただし、袋体１０の全面をアルミニウム層で覆ってしまうと、センサ５０を用いた酸素濃度の検出ができなくなるおそれがある。そのため、表面２０及び裏面２１がいずれもアルミニウム層を含む場合、表面２０ないし裏面２１の少なくとも一部を透明なフィルム層で構成した窓を設け、当該窓を通して酸素濃度を計測することが考えられる。このとき、酸素濃度の計測時以外は、窓をアルミニウムフィルムで覆っておくことが好ましい。
【００５４】
例えば、着物を保管する場合、着物の他に、帯や長襦袢等を袋体１０の内部に一緒にまとめて、平置きで保管してもよい。このとき、着物の上に帯や長襦袢を重ねて保管すると、着物に歪みや窪みが付くおそれがある。そこで、個々の着用物の間に仕切り板を挟むことによって、着物の変形を防止することができる。仕切り板の大きさは、着物を畳んだ状態と同じ大きさかそれより一回り大きい程度が好ましい。また、着用物内に酸素を残さないよう、仕切り板は通気性が高いものが好ましい。例えば、袋体１０の内部に下から、第１の仕切り板、着物、第２の仕切り板、長襦袢、第３の仕切り板、帯という順番で収容して保管することができる。
【００５５】
具体的には、例えば図１３に示すように袋体１０内に、複数、例えば２つの着用物Ａを仕切る３枚の仕切り板７０が設けられる。仕切り板７０は、上下の着用物Ａの間と、上側の着用物Ａの上側と、下側の着用物Ａの下側に設けられている。すなわち、袋体１０内において仕切り板７０と着用物Ａが下から交互に積層されている。仕切り板７０は、例えば紙製、プラスチック製などの材質で形成され、例えば自重で湾曲しない程度の硬さを有している。仕切り板７０は、例えば図１４に示すように薄い方形形状を有している。仕切り板７０には、厚み方向に貫通する複数の通気孔７１が形成されている。通気孔７０は、仕切り板７０の長辺方向と短辺方向に並べて配置されている。脱酸素剤３０は、例えば最上部の仕切り板７０上に配置されている。なお、仕切り板７０は、通気性のある材質で形成されているとなおよい。
【００５６】
かかる例によれば、袋体１０内に複数の着用物Ａを平置きで収容した場合に、複数の着用物Ａが仕切り板７０により離間するので、複数の着用物Ａの間にある酸素を脱酸素剤３０により十分に除去することができる。また、仕切り板７０により、保管時に着用物Ａ同士が接触して着用物Ａにしわが発生したり、着用物Ａが型崩れすることを防止することができる。また、袋体１０を持ち上げても仕切り板７０により袋体１０の形が維持されるので、着用物Ａが収容された袋体１０を運搬しやすくなる。
【００５７】
仕切り板７０に通気孔７１が設けられているので、着用物Ａの間や着用物Ａ内部に残存する酸素がより抜けやすくなり、当該酸素を脱酸素剤３０に効果的に除去することができる。
【００５８】
なお、仕切り板７０の形状や大きさ、数は上記例に限られるものではなく、また通気孔７１の数や大きさ、配置も上記例に限られるものではない。また、最上部と最下部の仕切り板７０は、着用物Ａを間に挟む挟み板としても機能する。仕切り板７０に換えて、薄い紙やフィルムを用いてもよい。
【００５９】
また、上記実施の形態においては、袋体１０内の気体を吸引するとともに、袋体１０内に窒素ガスを供給する実施例について説明したが、袋体１０内を低酸素状態とする手法はこれに限定されない。例えば、ノズル６０を使用しないで、ノズル６１を袋体１０の開口部に挿入し、袋体１０内の気体を強制的に吸引することなく、袋体１０内に窒素ガス等の非酸素ガスを注入し、袋体１０内に非酸素ガスを充填させた後に袋体１０を密封させるものとしてもよい。この際、初めに非酸素ガスを注入し、その後、袋体１０内の気体の吸引と非酸素ガスの注入を繰り返し、最終的に袋体１０内を非酸素ガスで充填してもよい。初めに非酸素ガスを注入することにより、袋体１０内の着用物が潰されることがなく、着用物の型崩れを防止することができる。上述の実施例と同様に、袋体１０を密封する際に酸素が残っていたとしても、脱酸素剤３０により袋体１０内に残った酸素を除去することができる。
【００６０】
また、以上の実施の形態において、袋体１０内には、所定の湿度に加湿された非酸素ガスを充填してもよい。このとき、袋体１０内に保存する物の種類や材質に応じて、供給する非酸素ガスの湿度を設定することが好ましい。例えば、非酸素ガスの湿度をそれぞれ５０〜６０％前後に設定するとよい。こうすることにより、湿度の変化により着用物が膨張と縮小を繰り返し経年劣化することが防止され、着用物を最適に長期保存できる。
【００６１】
上記実施の形態においては、袋体１０の入口辺１０ａの開口部を熱溶着して閉じる実施例について説明したが、開口部を閉じる手法はこれに限られず、任意の手法を採用し得る。例えば、開口部にジップロック（登録商標）などのシール手段を設けておき、当該シール手段によって開口部を閉じるものとしてもよい。すなわち、袋体１０は、当該袋体１０を開閉自在で、閉鎖時に袋体１０を密封可能な開閉部を備えていてもよい。この開閉部は、袋体１０のいずれの辺に設けられていてもよく、例えば第１の側辺１０ｂや第２の側辺１０ｃに設けられていてもよい。
【００６２】
上記実施の形態においては、着用物保存装置１に関する実施例について説明したが、保存対象物は着用物に限定されず、美術品、文化財、骨董品、工芸品及びその他の物を保存する保存装置にも本発明は適用できる。かかる保存装置には、以上で記載した着用物保存装置１の構成を適用できる。例えば保存装置は、少なくとも、保存対象物が収容された袋体１０を有し、袋体１０内には、脱酸素剤３０と、酸素濃度を検出するセンサ５０が設けられ、袋体１０は、非酸素ガスが充填された状態で密封されていてもよい。例えば美術品を保存する場合、アクリル製などの透明なケース内に美術品を収容し、これを着用物Ａの換わりに袋体１０に収容し、脱酸素剤３０とセンサ５０を袋体１０に入れ、非酸素ガスを充填し袋体１０を密封する。また、非酸素ガスは、所定の湿度に調整された状態で袋体１０内に充填されてもよい。さらに袋体１０内には、調湿剤と、湿度を検出するセンサを設けてもよい。かかる場合、美術品を低酸素、無菌、調湿された状態で保存することができる。なお、保存対象物を収容するものとして、袋体１０を用いずに、アクリルケース、ガラスケース、プラスチックケースなどの透明な収容容器を用いることも提案できる。
【００６３】
また、本発明は、保存キットであってもよい。保存キットは、保存対象物が収容され、密封可能な袋体１０と、脱酸素剤３０と、調湿剤と、を有し、袋体１０は、当該袋体１０を開閉自在で、閉鎖時に袋体１０を密封可能な開閉部を有するものであってもよい。また、保存キットは、酸素濃度を検出するセンサ５０、又は湿度を検出するセンサの少なくともいずれかをさらに有していてもよい。この場合、保存キットを使用するユーザは、保存対象物と、脱酸素剤３０と、調湿剤を袋体１０に収容し、袋体１０の開閉部を閉鎖し、袋体１０を密封する。こうすることにより、袋体１０内の酸素が脱酸素剤３０に吸収され、袋体１０内が低酸素状態になる。また、調湿剤により、袋体１０内が所定の湿度に調整される。そして、酸素濃度を検出するセンサ５０や湿度を検出するセンサがある場合には、袋体１０内の酸素濃度や湿度を確認できる。
【産業上の利用可能性】
【００６４】
本発明は、型崩れせずに、酸化による変色を防ぎつつ、カビ菌や虫が繁殖しないように着用物を保存する際に有用である。
【符号の説明】
【００６５】
１  着用物保存装置
１０  袋体
２０  表面
２１  裏面
３０  脱酸素剤
４０  仕切り部
５０  センサ
Ａ  着用物
【図１】
2017168848.tif 000003
【図２】
2017168848.tif 000004
【図３】
2017168848.tif 000005
【図４】
2017168848.tif 000006
【図５】
2017168848.tif 000007
【図６】
2017168848.tif 000008
【図７】
2017168848.tif 000009
【図８】
2017168848.tif 000010
【図９】
2017168848.tif 000011
【図１０】
2017168848.tif 000012
【図１１】
2017168848.tif 000013
【図１２】
2017168848.tif 000014
【図１３】
2017168848.tif 000015
【図１４】
2017168848.tif 000016
【国際調査報告】
2017168848.tif 000017
2017168848.tif 000018
2017168848.tif 000019
2017168848.tif 000020
2017168848.tif 000021
2017168848.tif 000022